(57)【特許請求の範囲】
【請求項１】
シートを搬送する搬送部と、
前記シートに対して処理を行う処理部と、
検出面における指示具のドラッグ操作を検出する検出部と、
前記ドラッグ操作の向きに対応する向きに前記ドラッグ操作の量に対応する距離だけ前記シートを搬送させる搬送制御部と、
を備える搬送装置。
【請求項２】
前記搬送制御部は、前記検出面における前記ドラッグ操作の前記シートの搬送方向に対応する第一方向成分の移動距離に比例した距離だけ前記シートを搬送させる、
請求項１に記載の搬送装置。
【請求項３】
前記搬送制御部は、前記ドラッグ操作の速度に比例した速度で前記シートを搬送させる、
請求項１または請求項２に記載の搬送装置。
【請求項４】
前記検出部は、前記指示具の態様を検出し、
前記搬送制御部は、前記指示具の態様に応じた距離だけ前記シートを搬送させる、
請求項１〜請求項３のいずれかに記載の搬送装置。
【請求項５】
前記検出面に重ねて画面が設けられており、
前記搬送制御部は、前記画面に距離を示す目盛を表示させ、前記指示具が同一の動きをした場合であっても前記画面に第一目盛より拡大された第二目盛が表示されている場合は、前記第一目盛が表示されている場合よりも、短い距離だけ前記シートを搬送させる、
請求項１〜請求項４のいずれかに記載の搬送装置。
【請求項６】
シートを搬送する搬送部と、
前記シートに対して処理を行う処理部と、
検出面における指示具の動きを検出する検出部と、
前記指示具の動きに対応する向きに前記指示具の動きに対応する距離だけ前記シートを搬送させ、前記検出部が前記指示具の特定の動きが繰り返されていることを検出したことに応じて、前記指示具が前記検出面から離れた後も連続して前記シートを搬送させ、前記検出部が前記指示具の前記検出面上での停止を検出したことに応じて、前記シートの搬送を停止させる搬送制御部と、
を備える搬送装置。
【請求項７】
シートを搬送する搬送部と、
前記シートに対して処理を行う処理部と、
検出面における指示具のドラッグ操作を検出する検出部と、
前記ドラッグ操作の向きに対応する向きに前記ドラッグ操作の量に対応する距離だけ前記シートを搬送させる搬送制御部と、
を備える搬送装置において、
前記検出部が検出面における前記ドラッグ操作を検出する第一ステップと、
前記搬送制御部が前記搬送部を用いて前記ドラッグ操作の向きに対応する向きに前記ドラッグ操作の量に対応する距離だけ前記シートを搬送させる第二ステップと、
前記第二ステップで搬送された前記シートに対して前記処理部が処理を行うことで処理物を取得する第三ステップと、
を含む処理物生成方法。
【請求項８】
シートを搬送する搬送部と、
前記シートに対して処理を行う処理部と、
検出面における指示具のドラッグ操作を検出する検出部と、
を備える搬送装置に、
前記ドラッグ操作の向きに対応する向きに前記ドラッグ操作の量に対応する距離だけ前記シートを搬送させる搬送制御機能を実現させる搬送制御プログラム。
【請求項９】
シートを搬送する搬送部と、
前記シートに対して処理を行う処理部と、
検出面における指示具の動きを検出する検出部と、
を備える搬送装置に、
前記指示具の動きに対応する向きに前記指示具の動きに対応する距離だけ前記シートを搬送させ、前記検出部が前記指示具の特定の動きが繰り返されていることを検出したことに応じて、前記指示具が前記検出面から離れた後も連続して前記シートを搬送させ、前記検出部が前記指示具の前記検出面上での停止を検出したことに応じて、前記シートの搬送を停止させる搬送制御機能を実現させる搬送制御プログラム。
【発明の詳細な説明】
【技術分野】
【０００１】
本発明は、搬送装置、処理物生成方法、搬送制御プログラムに関する。
【背景技術】
【０００２】
従来、ロール紙をフィードするための操作手段を備えたプリンターが知られている。例えば特許文献１には、巻き戻しボタンまたは紙送りボタンをユーザーが押下すると、ロール紙に記録された識別符号が検出されるまでロール紙を巻き戻しまたは紙送りすることが記載されている。また、特許文献１の他にも、操作手段が一定時間以上押し続けられると押されている期間中はロール紙を搬送し続け、操作手段が短く押された場合には一定距離だけ搬送することができるプリンターが知られている。
【先行技術文献】
【特許文献】
【０００３】
【特許文献１】特開平８−１２３１１４号公報
【発明の概要】
【発明が解決しようとする課題】
【０００４】
しかし、従来の構成の場合、搬送距離、搬送速度または搬送方向を柔軟に直観的に指示することができない。
本発明は、従来よりも使い勝手の良い搬送装置を提供することを目的とする。
【課題を解決するための手段】
【０００５】
上記目的を達成するための搬送装置は、シートを搬送する搬送部と、シートに対して処理を行う処理部と、検出面における指示具の動きを検出する検出部と、指示具の動きに対応する向きに指示具の動きに対応する距離だけシートを搬送させる搬送制御部と、を備える。
本発明によると、ユーザーは指示具を検出面上で動かすことにより、動き方に対応する向きに、動き方に対応する距離だけ、シートを搬送させることができる。そのため、ユーザーは直観的な操作で柔軟に搬送装置にシートを搬送させることができる。
【０００６】
指示具の動きは、検出面上を指示具が動く方向と検出面上を指示具が動く距離とによって規定されてよい。これらの方向や距離は、単位時間当たりの移動方向や移動距離であってもよいし、検出面に指示具が接触してから離れるまでの間に指示具が動く軌跡や総移動距離であってもよい。また、指示具の動きは、検出面上を指示具が動いた方向と、検出面に指示具が接触してから離れるまでの時間（接触継続時間）とによって規定されてもよい。
【０００７】
さらに、上記目的を達成するための搬送装置において、搬送制御部は、検出面における指示具のシートの搬送方向に対応する第一方向成分の移動距離に比例した距離だけシートを搬送させてもよい。
ユーザーは検出面において少なくとも第一方向に指示具を移動させることにより、当該第一方向の移動距離に比例した距離分シートを搬送させることができる。
【０００８】
さらに、上記目的を達成するための搬送装置において、搬送制御部は、指示具が移動する速度に比例した速度でシートを搬送させてもよい。
この場合、ユーザーは指示具を動かす速度を変えることでシートの搬送速度も指示することができる。
【０００９】
さらに、上記目的を達成するための搬送装置において、検出部は、指示具の態様を検出してもよい。その場合に搬送制御部は、指示具の態様に応じた距離だけシートを搬送させてもよい。
この場合、ユーザーは指示具の態様を変えることでシートの搬送距離を変えることができる。なお、指示具の態様とは、検出面上の指示具の個数や、指示具の種類（例えば、指またはタッチペン等）等を想定してよい。
【００１０】
さらに、上記目的を達成するための搬送装置において、検出面に重ねて画面が設けられてもよい。その場合に搬送制御部は、画面に距離を示す目盛を表示させ、指示具が同一の動きをした場合であっても画面に第一目盛より拡大された第二目盛が表示されている場合は、第一目盛が表示されている場合よりも、短い距離だけ前記シートを搬送させてもよい。
この場合、ユーザーがシートの搬送距離を微調整しやすい状態にすることができる。
【００１１】
さらに、上記目的を達成するための搬送装置において、搬送制御部は、検出部が指示具の特定の動きが繰り返されていることを検出したことに応じて、指示具が検出面から離れた後も連続してシートを搬送させてもよい。また搬送制御部は、検出部が指示具の検出面上での停止を検出したことに応じて、シートの搬送を停止させてもよい。
この場合、ユーザーは指示具で特定の動きを繰り返すことにより、指示具を検出面から離した後もシートの搬送を継続させることができる。またユーザーは、検出面上で指示具を停止させることによりシートの搬送を停止させることができる。
【００１２】
なお、本発明は、上述のように搬送されたシートに対して処理を施すことによって得られた処理物生成方法の発明としても成立する。また、本発明は、搬送装置に上述の搬送制御を実行させるための搬送制御プログラムの発明としても成立する。また請求項に記載された各部の機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。
【図面の簡単な説明】
【００１３】
【図１】プリンターの概略構成を示すブロック図。
【図２】（２Ａ）〜（２Ｃ）は表示内容と操作を示す図、（２Ｄ）は搬送動作を示すグラフ。
【図３】（３Ａ）〜（３Ｄ）は表示内容と操作を示す図、（３Ｅ）は搬送動作を示すグラフ。
【図４】（４Ａ），（４Ｃ），（４Ｅ）は表示内容と操作を示す図、（４Ｂ），（４Ｄ），（４Ｆ）は搬送動作を示すグラフ。
【図５】（５Ａ）〜（５Ｂ）は表示内容と操作を示す図、（５Ｃ）は搬送動作を示すグラフ。
【図６】（６Ａ）〜（６Ｃ）は表示内容と操作を示す図、（６Ｄ）は搬送動作を示すグラフ。
【図７】他の実施形態にかかる表示内容を示す図。
【発明を実施するための形態】
【００１４】
以下、本発明の実施の形態を添付図面を参照しながら説明する。尚、各図において対応する構成要素には同一の符号が付され、重複する説明は省略される。
１．第一実施形態：
１−１．構成：
図１は、本発明の実施形態にかかる搬送装置としてのプリンター１の概略構成を示すブロック図である。プリンター１は、動作モードとして、ホスト装置１００からの指示による印刷を行う印刷モードと、印刷開始位置調整や余白調整等のためにユーザーの指示に応じてシートＳを正方向または逆方向に搬送させる搬送モードとを有している。プリンター１は、例えば、ホスト装置１００から印刷指示を受信してから当該印刷指示に対応する印刷ジョブが終了するまでの間は印刷モードとして動作し、それ以外の期間は搬送モードとして動作する。
【００１５】
印刷制御部２１はホスト装置１００からの印刷指示を受信すると、当該指示に従って記録部２３に印刷を実行させると共に搬送制御部２２にシートＳを搬送させる。印刷制御部２１は、ＣＰＵ，ＲＡＭ，ＲＯＭ，不揮発性メモリ、通信Ｉ／Ｆ回路等を備えており、ＲＯＭや不揮発性メモリに記録された印刷制御プログラムをＣＰＵがＲＡＭを用いて実行することにより、印刷処理を実行することができる。記録部２３は、搬送制御部２２によって記録部２３とプラテン２４との間を移動するシートＳに対して印刷制御部２１から出力された信号に基づいてインク滴を吐出しシートＳに画像を形成する。印刷制御部２１および記録部２３は「処理部」に相当する。
【００１６】
また、プリンター１はタッチパネル４０を備える。本実施形態のタッチパネル４０は、搬送制御部２２の制御に基づいて様々な画像を表示するディスプレイと、当該ディスプレイに重ねられたタッチ検出パネルとを備える。タッチパネルとしては様々な方式のタッチパネルを採用してよい。搬送モードでは、ユーザーはタッチパネル４０の画面（検出面）上で指示具としての指を移動させて、シートＳの搬送の向きや搬送距離等に関する指示を入力することができる。タッチパネル４０は「検出部」に相当する。
【００１７】
搬送制御部２２は、印刷モードでは印刷制御部２１からの指示に基づいたシートＳの搬送動作を制御する。また搬送制御部２２は、搬送モードではタッチパネル４０を介してユーザーが入力した搬送指示に応じたシートＳの搬送動作を制御する。搬送制御部２２は、ＣＰＵ、ＲＯＭ、ＲＡＭ、不揮発性メモリ等で構成されており、上述の搬送動作は、ＲＯＭや不揮発性メモリに記録されている搬送制御プログラムをＣＰＵがＲＡＭを適宜利用しながら実行することにより実現される。
【００１８】
プリンター１は「搬送部」として、給紙ローラー２９、搬送ローラー３０、排紙ローラー３２と、これらのローラーを駆動するモーター２７と、従動ローラー２８Ａ，２８Ｂ，２８Ｃとを備える。搬送制御部２２は、モーター２７に回転方向と回転角と回転速度とを指示してモーター２７を回転させる。従動ローラー２８Ａ，２８Ｂ，２８Ｃはそれぞれ、給紙ローラー２９、搬送ローラー３０、排紙ローラー３２にシートＳを挟んで対向する位置に配置される。そして従動ローラー２８Ａ，２８Ｂ，２８Ｃはそれぞれ、対となるローラーとともにシートＳを押圧し、シートＳとローラーとの間の摩擦力によってシートＳを移動させる。
【００１９】
搬送制御部２２はシートＳの搬送方向を、モーター２７の回転方向によって制御する。本明細書において、ロール紙２５から送り出されたシートＳを記録部２３側に搬送することを正方向の搬送（正搬送）、シートＳを記録部２３側からロール紙２５側に搬送することを負方向または逆方向の搬送（負搬送または逆搬送）という。また搬送制御部２２は、シートＳの搬送速度をモーター２７の回転速度によって制御する。また搬送制御部２２は、シートＳの搬送距離をモーター２７の回転角によって制御する。なお、搬送制御部２２は、逆搬送時には給紙ローラー２９によって逆方向に搬送されたシートＳを、ロール紙２５の芯を貫通する軸を図示しないモーターによって回転させることにより再び巻き取るように制御してもよい。
【００２０】
１−２：操作に対応した搬送制御：
次に図２〜図６を参照しながらタッチパネル４０への操作と当該操作に対応した搬送制御について順に説明する。説明の便宜のため、タッチパネル４０の矩形形態の画面４０ａの左上の頂点を原点Ｏとして、互いに直交するｘ軸とｙ軸を定める。ｙ軸正方向は画面４０ａにおける下向きの方向であるとし、ｘ軸正方向は画面４０ａにおける右向きの方向であるとして以降の説明を行う。タッチパネル４０は、シートＳが正方向に搬送される場合の下流側においてプリンター１の筐体に、画面４０ａの幅方向（ｘ軸）がシートＳの搬送方向と直交する姿勢で設けられている。
【００２１】
なお、本明細書においてスワイプ操作は、画面に接触したまま指を移動させる操作であって、接触開始から接触終了までの時間（接触継続時間）が予め決められた第一閾値時間未満である操作とする。またドラッグ操作は、画面に接触したまま指を移動させる操作であって、接触継続時間が予め決められた第一閾値以上である操作とする。またタッチアンドホールド操作とは、画面上の同じ位置に予め決められた第二閾値以上の時間指を接触させたままにする操作とする。第一閾値と第二閾値は同じであってもよい。
【００２２】
搬送モードでは画面４０ａには図２Ａに示すように目盛４００と目盛４００の間隔の長さを示す数字４０１とが表示される。目盛４００と数字４０１は、画面４０ａ上での長さと実際の長さとの関係を示している。シートＳが停止している状態においてユーザーが１本の指で１回スワイプ操作を行うと、スワイプ操作に対応する向きに予め決められた一定距離だけシートＳが搬送される。具体的には例えば、図２Ｂに示すようにユーザーが１本の指でｙ軸正方向に一回スワイプ操作を行うと、搬送制御部２２は画面４０ａに対する接触継続時間が第一閾値時間未満であることと指の移動方向とからｙ軸正方向へのスワイプ操作がなされたと判断し、予め決められた第一距離Ｌ１だけシートＳを正方向に搬送させる。第一距離Ｌ１だけシートＳを搬送している間、搬送制御部２２は図２Ｃに示すように画面４０ａに今回のスワイプ操作によって搬送される距離（すなわち第一距離Ｌ１）を示す数字４０２を表示させる。また、搬送の向きを示す矢印４０３を表示させる。矢印４０３のｙ軸と平行な方向の長さは搬送速度と対応している。
【００２３】
第一距離Ｌ１だけシートＳを搬送し終えると、搬送制御部２２は数字４０２の表示を終了する。その結果、画面４０ａの表示内容は図２Ａに示す状態に戻る。なお、スワイプ操作や後述するドラッグ操作は、厳密にｙ軸と平行になされなくてもよい。すなわち、ｘ軸と平行な方向に多少変位していてもよい。いずれにしても搬送制御部２２は、画面４０ａ上における指の動きを示すベクトルのｙ成分の向きや距離をシート搬送の制御に用いる。ｙ軸と平行な方向は「第一方向」に相当する。
【００２４】
図２Ｄは今回のスワイプ操作前であってシートＳが停止しているある時点からの経過時間と累積搬送距離との関係を示すグラフである。同図は、時刻ｔ１の直前においてスワイプ操作がなされたことが確定し、その後第一距離Ｌ１だけシートＳが搬送される（搬送速度はＬ１／Ｔ）ことを示している。
【００２５】
続いて連続スワイプ操作について説明する。シートＳが停止している状態でユーザーが１本の指で連続してスワイプ操作を行うと、連続スワイプ操作を終えて画面から指を離した後もシートＳの搬送を継続する連続搬送状態となる。また連続搬送状態においては、一度のスワイプ操作に応じて第一距離Ｌ１を搬送する際の搬送速度（Ｌ１／Ｔ）よりも高速に搬送される。本実施形態においてスワイプ操作は「特定の動き」に相当する。
【００２６】
具体的には例えば、シートＳが停止している状態（画面４０ａが図３Ａに示す状態）から図３Ｂに示すようにユーザーが１本の指でｙ軸正方向にスワイプ操作を行うと、搬送制御部２２が画面４０ａに対する接触継続時間と指の移動方向とからｙ軸正方向へのスワイプ操作がなされたと判断し、第一距離Ｌ１だけシートＳを正方向に搬送させる（搬送速度はＬ１／Ｔ）。第一距離Ｌ１を搬送している間、搬送制御部２２は図３Ｃに示すように画面４０ａに今回のスワイプ操作によって搬送される距離（すなわち第一距離Ｌ１）を示す数字４０２と搬送方向および搬送速度を示す矢印４０３を表示させる。ここまでは図２で説明したスワイプ操作に対応する搬送動作と同様である。
【００２７】
第一距離Ｌ１だけシートＳを搬送している期間中に、ユーザーが図３Ｃに示すように１本の指でもう一度ｙ軸正方向へのスワイプ操作を行うと、搬送制御部２２は画面４０ａに対する接触継続時間と指の移動方向とからｙ軸正方向への２回目のスワイプ操作がなされた（連続スワイプ操作がなされた）と判断し、単位時間Ｔ当たりに第一距離Ｌ１よりも長い第二距離Ｌ２だけシートＳを正方向に搬送させることを連続して行う。すなわち単独のスワイプ操作に応じた搬送速度よりも高速にシートＳを連続搬送させる。連続搬送状態中は、搬送制御部２２は図３Ｄに示すようにシート停止状態のある時点からの累積搬送距離を示す数字４０２を表示させる（例えば所定時間間隔でインクリメントされる）。また、単独スワイプに応じた搬送よりも高速に搬送中であることを示すために、搬送の向きを示す矢印を長く表示する。また、連続搬送状態であることを示すために例えば矢印を二重線にする等して単独スワイプに応じた搬送の場合の矢印と異なる態様で矢印を表示する。
【００２８】
図３Ｅは、今回の連続スワイプ操作前であってシートＳが停止しているある時点を基準とした場合の、経過時間と累積搬送距離との関係を示すグラフである。同図は、時刻ｔ１の直前においてスワイプ操作がなされたことが確定し、第一距離Ｌ１分の搬送が終了する時刻ｔ２の直前に連続スワイプ操作がなされたことが確定した場合に、時刻ｔ１から時刻ｔ２までの間の搬送速度より、時刻ｔ２以降の搬送速度の方が高速となることを示している。なお、シート搬送中の連続スワイプ回数に応じて多段階に搬送速度を大きくしても良い。
【００２９】
次に、連続搬送中のドラッグ操作について図４を参照しながら説明する。例えば正方向にシートＳが連続搬送状態である場合に図４Ａに示すようにユーザーが画面４０ａ上で１本の指をｙ軸正方向にドラッグ操作を行うと、搬送制御部２２はドラッグ操作の第一方向成分の速度に比例した速度で正方向にシートＳを搬送させる。搬送制御部２２は、画面に対する指の接触継続時間が第一閾値時間以上であることと移動の向きとからｙ軸正方向へのドラッグ操作がなされたと判断する。また搬送制御部２２は、ドラッグ操作中、単位時間Ｔごとに指のｙ軸と平行な方向における移動距離を検出する。図４Ｂを用いて具体例を説明する。時刻ｔ２以降に連続搬送が開始されてから、例えば時刻ｔ３の直前にｙ軸正方向へのドラッグ操作がなされたことが確定すると、搬送制御部２２は時刻ｔ３以降にドラッグ操作に比例した速度での正方向へのシートＳの搬送を行う。例えばｙ軸正方向に単位時間Ｔの間に実際の距離Ｌ１に対応する画面上の距離ｄ１だけドラッグされたことを検出すると搬送制御部２２は時刻ｔ３以降に速度Ｌ１／Ｔで正方向にシートＳを搬送する。なお後述の場合を含めてドラッグ操作に関しては、画面４０ａ上でのｙ軸と平行な方向の移動距離とシートＳの搬送距離とは比例関係にある。比例係数はユーザー操作に応じて可変とすることができるが、基本状態では、比例係数が１（画面４０ａ上でのｙ軸と平行な方向の移動距離とシートＳの搬送距離とが等しい）となることが、ユーザーがより直感的に操作できるために望ましい。
【００３０】
また例えば正方向にシートＳが連続搬送状態である場合に、図４Ｃに示すようにユーザーが画面４０ａ上で１本の指でｙ軸負方向にドラッグ操作を行うと、搬送制御部２２はドラッグ操作の第一方向成分の速度に比例した速度で負方向にシートＳを搬送させる。図４Ｄを用いて具体例を説明する。時刻ｔ２以降に連続搬送が開始されてから、例えば時刻ｔ３の直前にｙ軸負方向へのドラッグ操作がなされたことが確定すると、搬送制御部２２は時刻ｔ３以降にドラッグ操作に比例した速度での負方向へのシートＳの搬送を行う。例えば単位時間Ｔの間に実際の距離Ｌ１に対応する画面上の距離ｄ１だけｙ軸負方向にドラッグされたことを検出すると搬送制御部２２は時刻ｔ３以降に速度Ｌ１／Ｔで負方向にシートＳを搬送する。このように連続搬送中にドラッグ操作を行うことにより、ドラッグ操作の向きや速度に応じた搬送方向および搬送速度でシートＳを搬送させることができる。なおドラッグ操作を終了して画面４０ａから指を離すと、連続搬送状態が解除され、搬送が停止してもよい。
【００３１】
また例えば、連続搬送状態である場合に図４Ｅに示すようにユーザーが画面上で１本の指でタッチアンドホールド操作を行うと、連続搬送状態を解除しシートＳの搬送を停止する。図４Ｆのグラフは、時刻ｔ２以降に連続搬送が開始されてから、時刻ｔ３の直前にタッチアンドホールド操作がなされたことが確定すると、シートＳの搬送が停止されることを示している。搬送制御部２２は、シートＳの搬送が停止したことを示す文字４０４を画面４０ａに表示させる。
【００３２】
なお、ドラッグ操作の向きや速度に応じたシート搬送は、シートＳが連続搬送状態において行われることに限定されない。例えばシートＳが停止状態の場合にもドラッグ操作の向きや速度に応じてシートＳが搬送されてもよい。
【００３３】
また、ｙ軸と平行な方向におけるドラッグ速度が予め決められた第一速度より遅い状態が予め決められた第一時間以上続いた場合、搬送制御部２２は搬送速度をそれまでよりも低速に切り替えてもよい。図５Ａ〜図５Ｃを用いて具体例を説明する。例えばシートＳが停止している状態でｙ軸正方向へのドラッグ操作が開始されたとする。画面４０ａには目盛４００と目盛の間隔の長さを示す数字４０１が表示されている。時刻ｔ４の直前でドラッグ操作がなされていることが確定すると、搬送制御部２２は、時刻ｔ４以降に、ドラッグ操作に比例する速度でシートＳを搬送させる。時刻ｔ４以降であって時刻ｔ５の直前に、第一速度より遅いドラッグ操作が第一時間以上継続したことが確定すると、搬送制御部２２は時刻ｔ５以降に図５Ｂに示すように目盛４００を図５Ａに示す状態から例えば２倍に拡大して表示する。図５Ａに示す目盛４００は「第一目盛」に相当し、図５Ｂに示す目盛４００は「第二目盛」に相当する。ドラッグ操作のｙ成分の速度が第一速度よりも遅い状態が第一時間以上継続したことが時刻ｔ５の直前で確定し、時刻ｔ５以降に図５Ｂに示すような拡大された目盛４００が表示された状態では、時刻ｔ４以前と同じ速度でドラッグ操作を行ったとしても、シートＳの搬送速度を時刻ｔ４以前の搬送速度の１／２とする（したがって同じ時間内での搬送距離は１／２に短くなる）。このようにすることで、ユーザーがシートＳの搬送距離を微調整しやすい状態とすることができる。
【００３４】
また、図６Ａ〜図６Ｃに示すようにシートＳが停止している状態で例えば２本の指で同時にｙ軸正方向にスワイプ操作がなされた場合、１本の指でのスワイプ操作に応じたシート搬送速度よりも高速でシートＳを搬送させてもよい。例えば図６Ｄに示すように、１本の指でスワイプされた場合の搬送速度（図２Ｄを参照）の２倍の速度で２倍の距離を搬送させてもよい。
【００３５】
以上で説明したように、ユーザーはタッチパネル４０の画面４０ａにおいて指を動かすことで直観的で柔軟な搬送指示をプリンター１に入力することができる。また、ユーザーはシートＳの位置を調整した後、ホスト装置１００からの印刷指示に応じた印刷をプリンター１に実行させることができ、ロール紙の所望の位置に印刷が施された印刷物（「処理物」に相当する）を取得することができる。
【００３６】
２．他の実施形態：
尚、本発明の技術的範囲は、上述した実施例に限定されるものではなく、本発明の要旨を逸脱しない範囲内において種々変更を加え得ることは勿論である。例えば、本発明の搬送装置は、スキャナー（画像読取装置）に適用することもできる。本発明の搬送装置がスキャナーに適用された場合、原稿を読み取った結果得られた画像データが「処理物」に相当する。なお原稿としては例えば、レシートやフィルム等を想定してよい。なお、シートはロール紙に限定されず、カット紙やファンフォールド紙等であってもよい。
【００３７】
また例えば、本発明の搬送装置は表示機能のないタッチパネル（タッチパッド、トラックパッド）を備えてもよく、当該タッチパネルの検出面上での指示具の動きに応じた向きおよび距離のシート搬送を行ってもよい。
【００３８】
また、上記実施形態では、正方向に連続搬送中にｙ軸負方向にドラッグされた場合、逆方向にシートを搬送させる例を説明したが、正方向に連続搬送中にｙ軸負方向にドラッグされた場合、搬送方向は正方向のままで搬送速度を減速するように制御してもよい。連続搬送中における搬送方向と逆方向のドラッグ操作がなされた場合、ドラッグ速度に応じて連続搬送速度が減速されてもよい。
【００３９】
なお、例えば図７に示すように画面４０ａを２つの領域に分け、一方の領域４０ａ１には図５Ａと同様の等倍の目盛を表示し、他方の領域４０ａ２には図５Ｂと同様の拡大された目盛を表示してもよい。そして、領域４０ａ２内でｙ軸と平行な方向にドラッグ操作がなされた場合は、領域４０ａ１内で同様のドラッグ操作がなされた場合と比較して短い距離を低速でシート搬送してもよい。
【符号の説明】
【００４０】
１…プリンター、２１…印刷制御部、２２…搬送制御部、２３…記録部、２４…プラテン、２５…ロール紙、２７…モーター、２８Ａ，２８Ｂ，２８Ｃ…従動ローラー、２９…給紙ローラー、３０…搬送ローラー、３２…排紙ローラー、４０…タッチパネル、４０ａ…画面、１００…ホスト装置、Ｓ…シート
【図１】
0006589456.tif 000002
【図２】
0006589456.tif 000003
【図３】
0006589456.tif 000004
【図４】
0006589456.tif 000005
【図５】
0006589456.tif 000006
【図６】
0006589456.tif 000007
【図７】
0006589456.tif 000008